【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
画像に含まれる画素配列を複数の第１のブロックに分割して、前記第１のブロック単位で量子化を含む符号化処理を行う符号化手段と、
前記第１のブロックを更に複数に分割して得られる第２のブロックのエッジを検出するエッジ検出手段と、
前記エッジ検出手段が前記第２のブロック毎に検出したエッジの特徴に基づいて、前記第１のブロックのエッジ情報を算出する算出手段と、
前記算出手段が算出した前記エッジ情報に基づいて、前記符号化手段に対して量子化スケールを設定するための制御情報を出力する符号化制御手段とを備えたことを特徴とする画像符号化装置。
【請求項２】
前記符号化手段は、前記第２のブロック単位に分割した画像データに対して直交変換を行って直交変換係数を出力する直交変換手段と、前記直交変換手段が出力する前記直交変換係数に対して、前記制御情報に従って設定される量子化スケールにより前記第１のブロック単位で量子化を行って量子化係数を出力する量子化手段とを備えたことを特徴とする請求項１に記載の画像符号化装置。
【請求項３】
前記算出手段は、前記エッジ検出手段が前記第２のブロック毎に検出したエッジの特徴として、前記第２のブロックにおけるエッジの有無に基づいて前記第１のブロックのエッジ情報を算出することを特徴とする請求項１又は２に記載の画像符号化装置。
【請求項４】
前記算出手段は、前記第１のブロックに含まれる複数の前記第２のブロックのうち、エッジが有る第２のブロックが少なくとも１つ存在する場合は、該エッジが有る第２のブロックのエッジの特徴に基づいて前記第１のブロックのエッジ情報を算出することを特徴とする請求項３に記載の画像符号化装置。
【請求項５】
前記算出手段は、前記エッジ検出手段が前記第２のブロック毎に検出したエッジの特徴として、前記第２のブロックにおけるエッジの強度に基づいて前記第１のブロックのエッジ情報を算出することを特徴とする請求項１又は２に記載の画像符号化装置。
【請求項６】
前記算出手段は、複数の前記第２のブロックにおいて検出された複数のエッジのうち、最大の強度を示すエッジに基づいて前記第１のブロックのエッジ情報を算出することを特徴とする請求項５に記載の画像符号化装置。
【請求項７】
前記算出手段は、前記エッジ検出手段が前記第２のブロック毎に検出したエッジの特徴として、前記第２のブロックにおけるエッジの方向に基づいて前記第１のブロックのエッジ情報を算出することを特徴とする請求項１又は２に記載の画像符号化装置。
【請求項８】
前記算出手段は、前記エッジ検出手段が前記第２のブロック毎に検出したエッジの特徴として、隣接する複数の前記第２のブロックにおけるエッジの方向に基づいて前記第１のブロックのエッジ情報を算出することを特徴とする請求項７に記載の画像符号化装置。
【請求項９】
前記算出手段は、前記エッジ検出手段が前記第２のブロック毎に検出したエッジの特徴として、前記第２のブロックにおけるエッジの強度及び方向に基づいて前記第１のブロックのエッジ情報を算出することを特徴とする請求項１又は２に記載の画像符号化装置。
【請求項１０】
前記算出手段は、隣接する複数の前記第２のブロックにおいて検出された複数のエッジの方向が同じである場合に、前記第１のブロックに含まれる複数の前記第２のブロックにおいて検出された複数のエッジのうち最大の強度を示すエッジに基づいて前記第１のブロックのエッジ情報を算出することを特徴とする請求項９に記載の画像符号化装置。
【請求項１１】
前記算出手段は、前記第１のブロック内に含まれる隣接する複数の前記第２のブロックにおいて検出された複数のエッジの方向が同じである場合に、前記第１のブロックに含まれる複数の前記第２のブロックにおいて検出された複数のエッジのうち最大の強度を示すエッジに基づいて前記第１のブロックのエッジ情報を算出することを特徴とする請求項１０に記載の画像符号化装置。
【請求項１２】
前記算出手段は、複数の前記第１のブロックに渡って隣接する複数の前記第２のブロックにおいて検出された複数のエッジの方向が同じである場合に、前記第１のブロックに含まれる複数の前記第２のブロックにおいて検出された複数のエッジのうち最大の強度を示すエッジに基づいて前記第１のブロックのエッジ情報を算出することを特徴とする請求項１０に記載の画像符号化装置。
【請求項１３】
前記第１のブロックは、前記第２のブロックを４個有し、該第２のブロックを水平方向に２個、垂直方向に２個並べた形状で構成されることを特徴とする請求項１又は２に記載の画像符号化装置。
【請求項１４】
前記第１のブロックは、前記第２のブロックを１６個有し、該第２のブロックを水平方向に４個、垂直方向に４個並べた形状で構成されることを特徴とする請求項１又は２に記載の画像符号化装置。
【請求項１５】
前記第１のブロックはマクロブロックであり、前記第２のブロックはＤＣＴブロック又は整数変換ブロックであることを特徴とする請求項１又は２に記載の画像符号化装置。
【請求項１６】
符号化手段が、画像に含まれる画素配列を複数の第１のブロックに分割して、前記第１のブロック単位で量子化を含む符号化処理を行う符号化ステップと、
エッジ検出手段が、前記第１のブロックを更に複数に分割して得られる第２のブロックのエッジを検出するエッジ検出ステップと、
算出手段が、前記エッジ検出ステップで前記第２のブロック毎に検出されたエッジの特徴に基づいて、前記第１のブロックのエッジ情報を算出する算出ステップと、
符号化制御手段が、前記算出ステップで算出された前記エッジ情報に基づいて、前記符号化ステップで行われる前記量子化の量子化スケールを設定するための制御情報を出力する符号化制御ステップとを有することを特徴とする画像符号化方法。
【請求項１７】
符号化手段が、画像に含まれる画素配列を複数の第１のブロックに分割して、前記第１のブロック単位で量子化を含む符号化処理を行う符号化ステップと、
エッジ検出手段が、前記第１のブロックを更に複数に分割して得られる第２のブロックのエッジを検出するエッジ検出ステップと、
算出手段が、前記エッジ検出ステップで前記第２のブロック毎に検出されたエッジの特徴に基づいて、前記第１のブロックのエッジ情報を算出する算出ステップと、
符号化制御手段が、前記算出ステップで算出された前記エッジ情報に基づいて、前記符号化ステップで行われる前記量子化の量子化スケールを設定するための制御情報を出力する符号化制御ステップとを有する画像符号化方法をコンピュータに実行させることを特徴とするプログラム。
【手続補正２】
【補正対象書類名】明細書
【補正対象項目名】００１６
【補正方法】変更
【補正の内容】
【００１６】
上記課題を解決するために、本発明の画像符号化装置は、画像に含まれる画素配列を複数の第１のブロックに分割して、前記第１のブロック単位で量子化を含む符号化処理を行う符号化手段と、前記第１のブロックを更に複数に分割して得られる第２のブロックのエッジを検出するエッジ検出手段と、前記エッジ検出手段が前記第２のブロック毎に検出したエッジの特徴に基づいて、前記第１のブロックのエッジ情報を算出する算出手段と、前記算出手段が算出した前記エッジ情報に基づいて、前記符号化手段に対して量子化スケールを設定するための制御情報を出力する符号化制御手段とを備えたことを特徴とする。
【手続補正３】
【補正対象書類名】明細書
【補正対象項目名】００１７
【補正方法】変更
【補正の内容】
【００１７】
また、本発明の画像符号化方法は、符号化手段が、画像に含まれる画素配列を複数の第１のブロックに分割して、前記第１のブロック単位で量子化を含む符号化処理を行う符号化ステップと、エッジ検出手段が、前記第１のブロックを更に複数に分割して得られる第２のブロックのエッジを検出するエッジ検出ステップと、算出手段が、前記エッジ検出ステップで前記第２のブロック毎に検出されたエッジの特徴に基づいて、前記第１のブロックのエッジ情報を算出する算出ステップと、符号化制御手段が、前記算出ステップで算出された前記エッジ情報に基づいて、前記符号化ステップで行われる前記量子化の量子化スケールを設定するための制御情報を出力する符号化制御ステップとを有することを特徴とする。
【手続補正４】
【補正対象書類名】明細書
【補正対象項目名】００１８
【補正方法】変更
【補正の内容】
【００１８】
さらに、本発明のプログラムは、符号化手段が、画像に含まれる画素配列を複数の第１のブロックに分割して、前記第１のブロック単位で量子化を含む符号化処理を行う符号化ステップと、エッジ検出手段が、前記第１のブロックを更に複数に分割して得られる第２のブロックのエッジを検出するエッジ検出ステップと、算出手段が、前記エッジ検出ステップで前記第２のブロック毎に検出されたエッジの特徴に基づいて、前記第１のブロックのエッジ情報を算出する算出ステップと、符号化制御手段が、前記算出ステップで算出された前記エッジ情報に基づいて、前記符号化ステップで行われる前記量子化の量子化スケールを設定するための制御情報を出力する符号化制御ステップとを有する画像符号化方法をコンピュータに実行させることを特徴とする。